(57)【特許請求の範囲】
【請求項１】
材料布に対し、所定形状のパネル領域の外縁を規定する縫い線と、当該縫い線の外側に当該縫い線に対して所定幅で隔たる裁断線と、を付すために用い、板状のプレート本体を備えたパッチワーク用作業用具であって、
上記プレート本体は、所定の大きさの上記パネル領域の外縁を規定するように延びる内向き縁を有する１番目の貫通部、およびｉ番目（ｉは１以上の整数。以下同じ）の貫通部を囲み、当該ｉ番目の貫通部の内向き縁に対してその外側に所定間隔を隔てて延びる外向き縁と、当該外向き縁に対してその外側に所定間隔を隔てて延びる内向き縁とを有するｉ＋１番目の貫通部を含む複数の貫通部からなる貫通部グループを複数有しており、
上記各貫通部グループにおける各貫通部の内向き縁は、大きさが異なり、姿勢と形状が同じ上記パネル領域を規定するように延びることを特徴とする、パッチワーク用作業用具。
【請求項２】
一の上記貫通部グループにおける各貫通部の各内向き縁が規定する上記パネル領域の大きさと、他の上記貫通部グループにおける各貫通部の各内向き縁が規定する上記パネル領域の大きさとは、互いに異なる、請求項１に記載のパッチワーク用作業用具。
【請求項３】
上記ｉ＋１番目の貫通部における外向き縁と内向き縁との間の寸法は、上記ｉ番目の貫通部の内向き縁と上記ｉ＋１番目の貫通部の外向き縁との間の寸法の０．４〜２．５倍の範囲である、請求項１また２に記載のパッチワーク用作業用具。
【請求項４】
上記プレート本体における上記各貫通部の近傍には、当該貫通部の内向き縁が規定する上記パネル領域の大きさを表す寸法値が表示されている、請求項１ないし３のいずれかに記載のパッチワーク用作業用具。
【請求項５】
上記プレート本体は透明板材からなり、
上記所定形状は多角形状であり、
上記プレート本体の外周部には、上記多角形状の各内角に対応する角度を有する角部が設けられており、
上記プレート本体には、上記角部を挟んで延びる２辺の各々から所定距離内側の位置において直線状に延びる角部表示ラインが設けられている、請求項１ないし４のいずれかに記載のパッチワーク用作業用具。
【請求項６】
上記プレート本体には、上記各貫通部の内向き縁を示すための内向き縁表示ラインが設けられている、請求項１ないし５のいずれかに記載のパッチワーク用作業用具。
【発明の詳細な説明】
【技術分野】
【０００１】
本発明は、材料布から所定形状のパッチワーク片を作製するのに用いられるパッチワーク用作業用具に関する。
【背景技術】
【０００２】
パッチワークは、小さく裁断された布片等を接ぎ合わせることにより、一つの面を形成する手芸の一技法である。パッチワークは、本来、はぎれ等を有効に利用することを目的として行われるものである。しかし、大規模な作品を作製するために、一定形状のパッチワーク片を大量に作製しなければならない場合もある。
【０００３】
材料布からパッチワーク片を作製するために、裁断用や折り用の型紙を用いて行うことが提案されている（たとえば、特許文献１を参照）。特許文献１に開示された裁断用型紙や折り用型紙を用いる場合、まず、所定形状の裁断用型紙を用いて材料布に裁断線を付し、当該裁断線に沿って材料布を裁断することにより、パッチワーク片を得る。次いで、裁断用型紙より小さい折り用型紙を当該パッチワーク片に重ね、パッチワーク片の周囲の布を折ってアイロン等で折り目をつける。このようにして形成された折り目は縫い線として利用することができ、縫い代を有するパッチワーク用の単位モチーフが形成される。また、裁断用型紙を用いて材料布に裁断線を付した後に折り用型紙を用いて裁断線の内側に縫い線を付し、裁断線に沿って材料布を裁断することにより、縫い線が付されたパッチワーク片を得るといった使い方も可能である。
【０００４】
パッチワークの技法において、大量のパッチワーク片を用いて作品を作る場合、同一形状でもサイズが異なる単位モチーフを接ぎ合わせたり、あるいは異なる形状の単位モチーフを接ぎ合わせることにより、多様なデザインのパッチワーク作品を作製することができる。
【０００５】
しかしながら、上記従来の裁断用型紙や折り用型紙を用いて単位モチーフを作製する場合、同一形状の単位モチーフでもサイズが異なれば、そのサイズ毎に専用の型紙が必要となる。そうすると、多種類の型紙を取り扱う必要があり、管理面において煩わしいといった問題が生じ得た。
【先行技術文献】
【非特許文献】
【０００６】
【特許文献１】特開２００４−１６９２３８号公報
【発明の概要】
【発明が解決しようとする課題】
【０００７】
本発明は、このような事情のもとで考え出されたものであって、互いに大きさが異なり、かつ同じ形状のパッチワーク片を作製するのに適したパッチワーク用作業用具を提供することを課題とする。
【課題を解決するための手段】
【０００８】
上記の課題を解決するため、本発明では、次の技術的手段を講じている。
【０００９】
本発明によって提供されるパッチワーク用作業用具は、材料布に対し、所定形状のパネル領域の外縁を規定する縫い線と、当該縫い線の外側に当該縫い線に対して所定幅で隔たる裁断線と、を付すために用い、板状のプレート本体を備えたパッチワーク用作業用具であって、上記プレート本体は、所定の大きさの上記パネル領域の外縁を規定するように延びる内向き縁を有する１番目の貫通部、およびｉ番目（ｉは１以上の整数。以下同じ）の貫通部を囲み、当該ｉ番目の貫通部の内向き縁に対してその外側に所定間隔を隔てて延びる外向き縁と、当該外向き縁に対してその外側に所定間隔を隔てて延びる内向き縁とを有するｉ＋１番目の貫通部を含む複数の貫通部からなる貫通部グループを複数有しており、上記各貫通部グループにおける各貫通部の内向き縁は、大きさが異なり、姿勢と形状が同じ上記パネル領域を規定するように延びることを特徴としている。
【００１０】
本発明の好ましい実施の形態においては、一の上記貫通部グループにおける各貫通部の各内向き縁が規定する上記パネル領域の大きさと、他の上記貫通部グループにおける各貫通部の各内向き縁が規定する上記パネル領域の大きさとは、互いに異なる。
【００１１】
本発明の好ましい実施の形態においては、上記ｉ＋１番目の貫通部における外向き縁と内向き縁との間の寸法は、上記ｉ番目の貫通部の内向き縁と上記ｉ＋１番目の貫通部の外向き縁との間の寸法の０．４〜２．５倍の範囲である。
【００１２】
本発明の好ましい実施の形態においては、上記プレート本体における上記各貫通部の近傍には、当該貫通部の内向き縁が規定する上記パネル領域の大きさを表す寸法値が表示されている。
【００１３】
本発明の好ましい実施の形態においては、上記プレート本体は透明板材からなり、上記所定形状は多角形状であり、上記プレート本体の外周部には、上記多角形状の各内角に対応する角度を有する角部が設けられており、上記プレート本体には、上記角部を挟んで延びる２辺の各々から所定距離内側の位置において直線状に延びる角部表示ラインが設けられている。
【００１４】
本発明の好ましい実施の形態においては、上記プレート本体には、上記各貫通部の内向き縁を示すための内向き縁表示ラインが設けられている。
【００１５】
本発明のその他の特徴および利点は、添付図面を参照して以下に行う詳細な説明によって、より明らかとなろう。
【図面の簡単な説明】
【００１６】
【図１】本発明に係るパッチワーク用作業用具の第１実施形態を示す平面図である。
【図２】図１に示すパッチワーク用作業用具の作用を説明するための図である。
【図３】図１に示すパッチワーク用作業用具の作用を説明するための図である。
【図４】本発明に係るパッチワーク用作業用具の第２実施形態を示す平面図である。
【図５】本発明に係るパッチワーク用作業用具の第３実施形態を示す平面図である。
【図６】本発明に係るパッチワーク用作業用具の第４実施形態を示す平面図である。
【図７】本発明に係るパッチワーク用作業用具の第５実施形態を示す平面図である。
【発明を実施するための形態】
【００１７】
以下、本発明の好ましい実施の形態について、図面を参照して具体的に説明する。
【００１８】
図１は、本発明に係るパッチワーク用作業用具の第１実施形態を示している。本実施形態のパッチワーク用作業用具１Ａは、板状のプレート本体２を備え、所定形状のパッチワーク用の単位モチーフを作製するために用いるものである。詳細は後述するが、パッチワーク用作業用具１Ａは、材料布に対し、所定形状の単位モチーフ（パネル領域）の外縁を規定する縫い線と、当該縫い線の外側に当該縫い線に対して所定幅で隔たる裁断線と、を付すために用いられる。本実施形態のパッチワーク用作業用具１Ａは、正六角形状の単位モチーフを作製するためのものである。
【００１９】
プレート本体２は、厚さが略一定の透明板材からなり、たとえばＰＥＴ樹脂（ポリエチレンテレフタレート）などの合成樹脂により形成されたものである。
【００２０】
プレート本体２は、各々が複数の貫通部からなる複数（本実施形態では４つ）の貫通部グループ３Ａ，４Ａ，５Ａ，６Ａを有している。これら貫通部グループ３Ａ〜６Ａは、プレート本体２の適所に互いに離間して設けられている。
【００２１】
貫通部グループ３Ａは、プレート本体２の厚さ方向に貫通する複数個（本実施では１番目から４番目までの４個）の貫通部３１〜３４からなる。１番目の貫通部３１は、正六角形状をなす貫通孔であり、単位モチーフの外縁を規定するように延びる内向き縁３１ａを有する。２番目の貫通部３２は、１番目の貫通部３１を囲っており、全体として正六角形状をなすスリット状とされている。貫通部３２は、互いに対向する外向き縁３２ｂおよび内向き縁３２ａを有する。外向き縁３２ｂは、貫通部３１の内向き縁３１ａに対してその外側において所定間隔を隔てて延びている。内向き縁３２ａは、外向き縁３２ｂに対してその外側において所定間隔を隔てて延びている。３番目の貫通部３３は、２番目の貫通部３２を囲っており、全体として正六角形状をなすスリット状とされている。貫通部３３は、互いに対向する外向き縁３３ｂおよび内向き縁３３ａを有する。外向き縁３３ｂは、貫通部３２の内向き縁３２ａに対してその外側において所定間隔を隔てて延びている。内向き縁３３ａは、外向き縁３３ｂに対してその外側において所定間隔を隔てて延びている。４番目の貫通部３４は、３番目の貫通部３３を囲っており、全体として正六角形状をなすスリット状とされている。貫通部３４は、互いに対向する外向き縁３４ｂおよび内向き縁３４ａを有する。外向き縁３４ｂは、貫通部３３の内向き縁３３ａに対してその外側において所定間隔を隔てて延びている。内向き縁３４ａは、外向き縁３４ｂに対してその外側において所定間隔を隔てて延びている。
【００２２】
図１に表れているように、貫通部グループ３Ａにおける各貫通部３１〜３４の内向き縁３１ａ，３２ａ，３３ａ，３４ａは、大きさが異なり、姿勢と形状が同じ単位モチーフを規定するように延びている。
【００２３】
プレート本体２における各貫通部３１〜３４の近傍には、内向き縁３１ａ〜３４ａが規定する単位モチーフの大きさを表す寸法値２１０が表示されている。スリット状の貫通部３２〜３４についての寸法値２１０は、当該スリット状部分の隣接する端部間の橋渡し部に表示されている。本実施形態では、寸法値２１０は、当該寸法値２１０に対応する内向き縁３１ａ〜３４ａが規定する正六角形状の単位モチーフの一辺の長さを表している。貫通部３１の近傍に表示された「１０」の寸法値２１０は、内向き縁３１ａが規定する正六角形状の一辺が１０ｍｍであることを示している。
【００２４】
スリット状の貫通部３２（３３，３４）における外向き縁３２ｂ（３３ｂ，３４ｂ）と内向き縁３２ａ（３３ａ，３４ａ）との間の寸法Ｌ１は、貫通部３１（３２，３３）の内向き縁３１ａ（３２ａ，３３ａ）と貫通部３２（３３，３４）の外向き縁３２ｂ（３３ｂ，３４ｂ）との間の寸法Ｌ２の０．４〜２．５倍であり、より好ましくは０．５〜１．５倍である。
【００２５】
本実施形態において、貫通部３１（３２，３３）の内向き縁３１ａ（３２ａ，３３ａ）と貫通部３２（３３，３４）の外向き縁３２ｂ（３３ｂ，３４ｂ）との間の寸法Ｌ２は、約４ｍｍとされている。貫通部３２（３３，３４）における外向き縁３２ｂ（３３ｂ，３４ｂ）と内向き縁３２ａ（３３ａ，３４ａ）との間の寸法Ｌ１は、約３ｍｍとされている。これにより、貫通部３１（３２，３３）の内向き縁３１ａ（３２ａ，３３ａ）と貫通部３２（３３，３４）の内向き縁３２ａ（３３ａ，３４ａ）との間の寸法Ｌ３は、約７ｍｍである。
【００２６】
本実施形態において、貫通部グループ４Ａは５個の貫通部４１〜４５からなり、貫通部グループ５Ａは２個の貫通部５１，５２からなり、貫通部グループ６Ａは２個の貫通部６１，６２からなる。各貫通部グループ４Ａ，５Ａ，６Ａにおける貫通部４１〜４５，５１，５２，６１，６２は、上記した貫通部グループ３Ａを構成する貫通部３１〜３４と同様の構成であるが、貫通部４１〜４５，５１，５２，６１，６２の大きさと、貫通部グループ４Ａ，５Ａ，６Ａを構成する貫通部の数が適宜異ならせられている点において、貫通部グループ３Ａと異なっている。すなわち、貫通部グループ４Ａ（５Ａ，６Ａ）において、最も内側に位置する貫通部４１（５１，６１）は、正六角形状をなす貫通孔であり、単位モチーフの外縁を規定するように延びる内向き縁４１ａ（５１ａ，６１ａ）を有する。貫通部グループ４Ａ（５Ａ，６Ａ）における２番目以降の貫通部４２〜４５（５２，６２）は、全体として正六角形状をなすスリット状とされており、互いに対向する外向き縁４２ｂ〜４５ｂ（５２ｂ，６２ｂ）および内向き縁４２ａ〜４５ａ（５２ａ，６２ａ）を有する。
【００２７】
図１に表れているように、各貫通部グループ４Ａ（５Ａ，６Ａ）における各貫通部４１〜４５（５１，５２，６１，６２）の内向き縁４１ａ，４２ａ，４３ａ，４４ａ，４５ａ（５１ａ，５２ａ，６１ａ，６２ａ）は、大きさが異なり、姿勢と形状が同じ単位モチーフを規定するように延びている。
【００２８】
プレート本体２における各貫通部４１〜４５，５１，５２，６１，６２の近傍には、上記した貫通部３１〜３４の場合と同様に、内向き縁４１ａ〜４５ａ，５１ａ，５２ａ，６１ａ，６２ａが規定する単位モチーフの大きさを表す寸法値２１０が表示されている。
【００２９】
貫通部グループ４Ａにおいて、スリット状の貫通部４２（４３，４４，４５）における外向き縁４２ｂ（４３ｂ，４４ｂ，４５ｂ）と内向き縁４２ａ（４３ａ，４４ａ，４５ａ）との間の寸法Ｌ１は、貫通部４１（４２，４３，４４）の内向き縁４１ａ（４２ａ，４３ａ，４４ａ）と貫通部４２（４３，４４，４５）の外向き縁４２ｂ（４３ｂ，４４ｂ，４５ｂ）との間の寸法Ｌ２の０．４〜２．５倍であり、より好ましくは０．５〜１．５倍である。本実施形態において、貫通部４１（４２，４３，４４）の内向き縁４１ａ（４２ａ，４３ａ，４４ａ）と貫通部４２（４３，４４，４５）の外向き縁４２ｂ（４３ｂ，４４ｂ，４５ｂ）との間の寸法Ｌ２は、約４ｍｍとされている。貫通部４２（４３，４４，４５）における外向き縁４２ｂ（４３ｂ，４４ｂ，４５ｂ）と内向き縁４２ａ（４３ａ，４４ａ，４５ａ）との間の寸法Ｌ１は、約３ｍｍとされている。これにより、貫通部４１（４２，４３，４４）の内向き縁４１ａ（４２ａ，４３ａ，４４ａ）と貫通部４２（４３，４４，４５）の内向き縁４２ａ（４３ａ，４４ａ，４５ａ）との間の寸法Ｌ３は、約７ｍｍである。
【００３０】
貫通部グループ５Ａにおいて、スリット状の貫通部５２における外向き縁５２ｂと内向き縁５２ａとの間の寸法Ｌ１は、貫通部５１の内向き縁５１ａと貫通部５２の外向き縁５２ｂとの間の寸法Ｌ２の０．４〜２．５倍であり、より好ましくは０．５〜１．５倍である。本実施形態において、貫通部５１の内向き縁５１ａと貫通部５２の外向き縁５２ｂとの間の寸法Ｌ２は、約４ｍｍとされている。貫通部５２における外向き縁５２ｂと内向き縁５２ａとの間の寸法Ｌ１は、約３ｍｍとされている。これにより、貫通部５１の内向き縁５１ａと貫通部５２の内向き縁５２ａとの間の寸法Ｌ３は、約７ｍｍである。
【００３１】
貫通部グループ６Ａにおいて、スリット状の貫通部６２における外向き縁６２ｂと内向き縁６２ａとの間の寸法Ｌ１は、貫通部６１の内向き縁６１ａと貫通部６２の外向き縁６２ｂとの間の寸法Ｌ２の０．４〜２．５倍であり、より好ましくは０．５〜１．５倍である。本実施形態において、貫通部６１の内向き縁６１ａと貫通部６２の外向き縁６２ｂとの間の寸法Ｌ２は、約４ｍｍとされている。貫通部６２における外向き縁６２ｂと内向き縁６２ａとの間の寸法Ｌ１は、約３ｍｍとされている。これにより、貫通部６１の内向き縁６１ａと貫通部６２の内向き縁６２ａとの間の寸法Ｌ３は、約７ｍｍである。
【００３２】
本実施形態においては、図１に表された寸法値２１０の値はすべて異なっている。このことから理解されるように、一の貫通部グループ３Ａ，４Ａ，５Ａ，６Ａにおける各貫通部３１〜３４，４１〜４５，５１，５２，６１，６２の各内向き縁３１ａ〜３４ａ，４１ａ〜４５ａ，５１ａ，５２ａ，６１ａ，６２ａが規定する単位モチーフの大きさと、他の貫通部グループ３Ａ，４Ａ，５Ａ，６Ａにおける各貫通部３１〜３４，４１〜４５，５１，５２，６１，６２の各内向き縁３１ａ〜３４ａ，４１ａ〜４５ａ，５１ａ，５２ａ，６１ａ，６２ａが規定する単位モチーフの大きさとは、互いに異なっている。
【００３３】
本実施形態において、プレート本体２には、各貫通部３１〜３４，４１〜４５，５１，５２，６１，６２の内向き縁を示すための内向き縁表示ライン２１１が当該内向き縁に沿って設けられている。
【００３４】
プレート本体２の外周部には、所定の角度を有する角部２１，２２が設けられている。これら角部２１，２２は、正六角形状（本実施形態の単位モチーフの形状）の各内角（本実施形態では１２０°）に対応する角度とされており、当該角部２１，２２のなす角度は１２０°である。
【００３５】
プレート本体２には、角部２１，２２を挟んで延びる辺２０１，２０２，２０３の各々から所定距離内側の位置において直線状に延びる角部表示ライン２２１，２２２，２２３，２３１，２３２，２３３が設けられている。角部表示ライン２２１（２２２，２２３）は、辺２０１（２０２，２０３）から約４ｍｍ内側の位置に設けられており、辺２０１（２０２，２０３）と角部表示ライン２２１（２２２，２２３）との間の距離は、貫通部３１の内向き縁３１ａと貫通部３２の外向き縁３２ｂとの間の寸法Ｌ２に対応している。角部表示ライン２３１（２３２，２３３）は、辺２０１（２０２，２０３）から約７ｍｍ内側の位置に設けられており、辺２０１（２０２，２０３）と角部表示ライン２３１（２３２，２３３）との間の距離は、貫通部３１の内向き縁３１ａと貫通部３２の内向き縁３２ａとの間の寸法Ｌ３に対応している。なお、角部表示ライン２２１，２２２，２２３は、実線で表されており、角部表示ライン２３１，２３２，２３３は、点線で表されている。
【００３６】
次に、上記構成のパッチワーク用作業用具１Ａの作用について説明する。
【００３７】
パッチワーク用作業用具１Ａを用いると、材料布に正六角形状の単位モチーフ用の縫い線および裁断線を付すことができる。具体的には、作製する単位モチーフの大きさに対応する貫通部を選択し、当該貫通部の内向き縁を利用して縫い線を記す。次いで、上記縫い線を記すのに利用した貫通部を囲んで隣り合う他の貫通部の内向き縁を利用して裁断線を記す。たとえば、一辺が１０ｍｍの正六角形状の単位モチーフを作製する場合、まず、材料布にプレート本体２を重ね、両者が滑らないようにしたうえで、貫通部グループ３Ａの１番目の貫通部３１の内向き縁３１ａに沿って筆記具により縫い線を記す。次に、２番目の貫通部３２の内向き縁３２ａに沿って筆記具により裁断線を記す。これにより、図２に示すように、材料布Ｃ１に縫い線Ｓ１および裁断線Ｓ２が付される。縫い線Ｓ１と裁断線Ｓ２との間の部分は、パッチワークを作製する際の縫い代に相当する。当該縫い代部分の幅Ｗ１は、貫通部３１の内向き縁３１ａと貫通部３２の内向き縁３２ａとの間の寸法Ｌ３に対応しており、約７ｍｍである。
【００３８】
本実施形態のパッチワーク用作業用具１Ａにおいて、各貫通部グループ３Ａ，４Ａ，５Ａ，６Ａは、大きさの異なる内向き縁を有する複数の貫通部からなる。貫通部グループ３Ａに着目すると、複数の貫通部３１〜３４において、貫通部３１（３２，３３）とこれを囲んで隣接する貫通部３２（３３，３４）とは、これらの内向き縁３１ａ（３２ａ，３３ａ）および内向き縁３２ａ（３３ａ，３４ａ）が所定の間隔を隔てている。このため、貫通部３１〜３４の内向き縁３１ａ〜３４ａを利用することにより、同じ形状で所定寸法の縫い代を有し、かつ互いに大きさが異なる３種類の単位モチーフの作製に用いることができる。
【００３９】
そして、本実施形態のプレート本体２には複数の貫通部グループ３Ａ，４Ａ，５Ａ，６Ａが設けられており、これら貫通部グループ３Ａ，４Ａ，５Ａ，６Ａにおける貫通部３１〜３４，４１〜４５，５１，５２，６１，６２の内向き縁３１ａ〜３４ａ，４１ａ〜４５ａ，５１ａ，５２ａ，６１ａ，６２ａが規定する単位モチーフの大きさは、互いに異ならせられている。当該内向き縁３１ａ〜３４ａ，４１ａ〜４５ａ，５１ａ，５２ａ，６１ａ，６２ａを利用すると、互いに大きさが異なる多種類の単位モチーフの作製に用いることが可能である。このようなことから理解されるように、複数の貫通部グループ３Ａ，４Ａ，５Ａ，６Ａの各々において各貫通部の配置を工夫することにより、互いに大きさの異なる多種類の単位モチーフの作製に用いることができる。
【００４０】
各貫通部グループ３Ａ，４Ａ，５Ａ，６Ａにおける２番目以降の貫通部３２〜３４，４２〜４５，５２，６２は、内向き縁と外向き縁を有するスリット状とされている。そして、上述のように、当該スリット状部分の幅（各貫通部における外向き縁と内向き縁との間の寸法Ｌ１）は、貫通部の内向き縁と当該貫通部を囲んで隣り合う他の貫通部の外向き縁との間の寸法Ｌ２の０．４〜２．５倍とされており、比較的に幅広である。このため、各貫通部の外向き縁を利用することにより、当該貫通部の内向き縁を利用する場合とは異なる裁断線を付すことができる。図３は、貫通部３１の内向き縁３１ａを利用して縫い線を付し、貫通部３２の外向き縁３２ｂを利用して裁断線を付す場合を示している。同図に示す縫い線Ｓ１と裁断線Ｓ２と間の縫い代部分の幅Ｗ２は、貫通部３１の内向き縁３１ａと貫通部３２の外向き縁３２ａとの間の寸法Ｌ２に対応しており、約４ｍｍである。このように、貫通部の外向き縁を利用すれば、当該貫通部の内向き縁を利用する場合と比べて、縫い代部分の幅が小さくなるように裁断線を付すことができる。したがって、同一サイズの単位モチーフを作製する際に、材料布の種類等に応じて縫い代の幅の大小を適宜選択することができ、使い勝手がよい。なお、上述の縫い代の幅が大である縫い代部分の幅Ｗ１が約７ｍｍの場合、すなわち対応する寸法Ｌ３が約７ｍｍの場合、縫い代の幅が小である縫い代部分の幅Ｗ２（すなわち、対応する寸法Ｌ２）は、約２〜５ｍｍの範囲であることが望ましい。
【００４１】
プレート本体２の外周部には、単位モチーフの形状である正六角形状の内角に対応するする角部２１，２２が形成されている。そして、角部２１，２２を挟んで延びる辺２０１，２０２，２０３の各々から、単位モチーフの縫い代である約７ｍｍおよび約４ｍｍ内側の位置に角部表示ライン２３１，２３２，２３３および角部表示ライン２２１，２２２，２２３が設けられている。これにより、各貫通部グループ３Ａ，４Ａ，５Ａ，６Ａの最も外側にある貫通部の内向き縁を利用して単位モチーフの縫い線を付す場合、当該単位モチーフの裁断線を付すのに利用することができる。たとえば、貫通部グループ３Ａの貫通部３４の内向き縁３４ａを利用して縫い線を付す場合、全体として一辺が３４ｍｍの正六角形状の単位モチーフの縫い線が付される。この縫い線を、たとえば角部表示ライン２３１，２３２に重ね、角部２１を挟む２つの辺２０１，２０２を利用することにより、当該辺２０１，２０２に沿って裁断線を付すことができる。このように角部表示ライン２２１，２２２，２２３，２３１，２３２，２３３を具備する構成によれば、互いに大きさの異なるより多種類の単位モチーフを作製するのに用いることが可能となる。
【００４２】
プレート本体２における各貫通部３１〜３４，４１〜４５，５１，５２，６１，６２の近傍には、当該各貫通部の内向き縁が規定する単位モチーフの大きさを表す寸法値２１０が表示されている。これにより、所定サイズの単位モチーフを作製する際にいずれの貫通部を利用すればよいかを速やかに把握することができ、使い勝手がよい。また、プレート本体２には、各貫通部３１〜３４，４１〜４５，５１，５２，６１，６２の内向き縁を示すための内向き縁表示ライン２１１が当該内向き縁に沿って設けられている。これにより、一見して内向き縁を外向き縁と識別できるので、使い勝手がよい。
【００４３】
図４は、本発明に係るパッチワーク用作業用具の第２実施形態を示している。なお、図４以降の図面において、上記実施形態と同一または類似の要素には、上記実施形態と同一の符号を付しており、適宜説明を省略する。
【００４４】
図４に示されたパッチワーク用作業用具１Ｂは、本体プレート２を備え、基本的構成は上記実施形態のパッチワーク用作業用具１Ａと同じである。一方、パッチワーク用作業用具１Ｂについては、このパッチワーク用作業用具１Ｂを用いて作製される単位モチーフの形状が上記のパッチワーク用作業用具１Ａを用いて作製される単位モチーフの形状（正六角形状）と異なっており、単位モチーフの形状の相違に伴う変更が施されている。
【００４５】
本実施形態のパッチワーク用作業用具１Ｂは、正方形状の単位モチーフを作製するためのものである。プレート本体２には、複数（本実施形態では５つ）の貫通部グループ３Ｂ，４Ｂ，５Ｂ，６Ｂ，７Ｂが設けられている。本実施形態において、貫通部グループ３Ｂは３個の貫通部３１〜３３からなり、貫通部グループ４Ｂは３個の貫通部４１〜４３からなり、貫通部グループ５Ｂは３個の貫通部５１〜５３からなり、貫通部グループ６Ｂは３個の貫通部６１〜６３からなり、貫通部グループ７Ｂは３個の貫通部７１〜７３からなる。
【００４６】
貫通部グループ３Ｂ（４Ｂ，５Ｂ，６Ｂ，７Ｂ）において、最も内側に位置する貫通部３１（４１，５１，６１，７１）は、正方形状をなす貫通孔であり、単位モチーフの外縁を規定するように延びる内向き縁３１ａ（４１ａ，５１ａ，６１ａ，７１ａ）を有する。貫通部グループ３Ｂ（４Ｂ，５Ｂ，６Ｂ，７Ｂ）における２番目以降の貫通部３２，３３（４２，４３，５２，５３，６２，６３，７２，７３）は、全体として正方形状をなすスリット状とされており、互いに対向する外向き縁３２ｂ，３３ｂ（４２ｂ，４３ｂ，５２ｂ，５３ｂ，６２ｂ，６３ｂ，７２ｂ，７３ｂ）および内向き縁３２ａ，３３ａ（４２ａ，４３ａ，５２ａ，５３ａ，６２ａ，６３ａ，７２ａ，７３ａ）を有する。
【００４７】
図４に表れているように、各貫通部グループ３Ｂ（４Ｂ，５Ｂ，６Ｂ，７Ｂ）における各貫通部３１〜３３（４１〜４３，５１〜５３，６１〜６３，７１〜７３）の内向き縁３１ａ〜３３ａ（４１ａ〜４３ａ，５１ａ〜５３ａ，６１ａ〜６３ａ，７１ａ〜７３ａ）は、大きさが異なり、姿勢と形状が同じ単位モチーフを規定するように延びている。
【００４８】
プレート本体２における各貫通部３１〜３３，４１〜４３，５１〜５３，６１〜６３，７１〜７３の近傍には、内向き縁３１ａ〜３３ａ，４１ａ〜４３ａ，５１ａ〜５３ａ，６１ａ〜６３ａ，７１ａ〜７３ａが規定する単位モチーフの大きさを表す寸法値２１０が表示されている。本実施形態では、寸法値２１０は、当該寸法値２１０に対応する内向き縁３１ａ〜３３ａ，４１ａ〜４３ａ，５１ａ〜５３ａ，６１ａ〜６３ａ，７１ａ〜７３ａが規定する正方形状の単位モチーフの一辺の長さを表している。
【００４９】
本実施形態において、貫通部３１（３２，４１，４２，５１，５２，６１，６２，７１，７２）の内向き縁３１ａ（３２ａ，４１ａ，４２ａ，５１ａ，５２ａ，６１ａ，６２ａ，７１ａ，７２ａ）と貫通部３２（３３，４２，４３，５２，５３，６２，６３，７２，７３）の外向き縁３２ｂ（３３ｂ，４２ｂ，４３ｂ，５２ｂ，５３ｂ，６２ｂ，６３ｂ，７２ｂ，７３ｂ）との間の寸法Ｌ２は、約４ｍｍとされている。貫通部３２（３３，４２，４３，５２，５３，６２，６３，７２，７３）における外向き縁３２ｂ（３３ｂ，４２ｂ，４３ｂ，５２ｂ，５３ｂ，６２ｂ，６３ｂ，７２ｂ，７３ｂ）と内向き縁３２ａ（３３ａ，４２ａ，４３ａ，５２ａ，５３ａ，６２ａ，６３ａ，７２ａ，７３ａ）との間の寸法Ｌ１は、約３ｍｍとされている。これにより、貫通部３１（３２，４１，４２，５１，５２，６１，６２，７１，７２）の内向き縁３１ａ（３２ａ，４１ａ，４２ａ，５１ａ，５２ａ，６１ａ，６２ａ，７１ａ，７２ａ）と貫通部３２（３３，４２，４３，５２，５３，６２，６３，７２，７３）の内向き縁３２ａ（３３ａ，４２ａ，４３ａ，５２ａ，５３ａ，６２ａ，６３ａ，７２ａ，７３ａ）との間の寸法Ｌ３は、約７ｍｍである。
【００５０】
本実施形態においては、図４に表された寸法値２１０の値はすべて異なっている。このことから理解されるように、一の貫通部グループ３Ｂ，４Ｂ，５Ｂ，６Ｂ，７Ｂにおける各貫通部３１〜３３，４１〜４３，５１〜５３，６１〜６３，７１〜７３の各内向き縁３１ａ〜３３ａ，４１ａ〜４３ａ，５１ａ〜５３ａ，６１ａ〜６３ａ，７１ａ〜７３ａが規定する単位モチーフの大きさと、他の貫通部グループ３Ｂ，４Ｂ，５Ｂ，６Ｂ，７Ｂにおける各貫通部３１〜３３，４１〜４３，５１〜５３，６１〜６３，７１〜７３の各内向き縁３１ａ〜３３ａ，４１ａ〜４３ａ，５１ａ〜５３ａ，６１ａ〜６３ａ，７１ａ〜７３ａが規定する単位モチーフの大きさとは、互いに異なっている。
【００５１】
プレート本体２の外周部には、所定の角度を有する角部２１，２２が設けられている。これら角部２１，２２は、正方形状（本実施形態の単位モチーフの形状）の各内角（本実施形態では９０°）に対応する角度とされており、当該角部２１，２２のなす角度は９０°である。
【００５２】
本実施形態のパッチワーク用作業用具１Ｂは、このパッチワーク用作業用具１Ｂによって作製される単位モチーフの形状が第１実施形態の場合と異なるが、他の点については第１実施形態のパッチワーク用作業用具１Ａと実質的に同様の構成である。したがって、このパッチワーク用作業用具１Ｂの使用方法および作用効果は、上述した第１実施形態の場合と基本的に同じである。
【００５３】
図５は、本発明に係るパッチワーク用作業用具の第３実施形態を示している。同図に示されたパッチワーク用作業用具１Ｃは、本体プレート２を備え、基本的構成は上記実施形態のパッチワーク用作業用具１Ａと同じである。一方、パッチワーク用作業用具１Ｃについては、このパッチワーク用作業用具１Ｃを用いて作製される単位モチーフの形状が上記のパッチワーク用作業用具１Ａを用いて作製される単位モチーフの形状（正六角形状）と異なっており、単位モチーフの形状の相違に伴う変更が施されている。
【００５４】
本実施形態のパッチワーク用作業用具１Ｃは、菱形状の単位モチーフを作製するためのものである。プレート本体２には、複数（本実施形態では４つ）の貫通部グループ３Ｃ，４Ｃ，５Ｃ，６Ｃが設けられている。本実施形態において、貫通部グループ３Ｃは３個の貫通部３１〜３３からなり、貫通部グループ４Ｃは３個の貫通部４１〜４３からなり、貫通部グループ５Ｃは３個の貫通部５１〜５３からなり、貫通部グループ６Ｃは２個の貫通部６１，６２からなる。
【００５５】
貫通部グループ３Ｃ（４Ｃ，５Ｃ，６Ｃ）において、最も内側に位置する貫通部３１（４１，５１，６１）は、菱形状をなす貫通孔であり、単位モチーフの外縁を規定するように延びる内向き縁３１ａ（４１ａ，５１ａ，６１ａ）を有する。貫通部グループ３Ｃ（４Ｃ，５Ｃ，６Ｃ）における２番目以降の貫通部３２，３３（４２，４３，５２，５３，６２）は、全体として菱形状をなすスリット状とされており、互いに対向する外向き縁３２ｂ，３３ｂ（４２ｂ，４３ｂ，５２ｂ，５３ｂ，６２ｂ）および内向き縁３２ａ，３３ａ（４２ａ，４３ａ，５２ａ，５３ａ，６２ａ）を有する。
【００５６】
図５に表れているように、各貫通部グループ３Ｃ（４Ｃ，５Ｃ，６Ｃ）における各貫通部３１〜３３（４１〜４３，５１〜５３，６１，６２）の内向き縁３１ａ〜３３ａ（４１ａ〜４３ａ，５１ａ〜５３ａ，６１ａ，６２ａ）は、大きさが異なり、姿勢と形状が同じ単位モチーフを規定するように延びている。
【００５７】
プレート本体２における各貫通部３１〜３３，４１〜４３，５１〜５３，６１，６２の近傍には、内向き縁３１ａ〜３３ａ，４１ａ〜４３ａ，５１ａ〜５３ａ，６１ａ，６２ａが規定する単位モチーフの大きさを表す寸法値２１０が表示されている。本実施形態では、寸法値２１０は、当該寸法値２１０に対応する内向き縁３１ａ〜３３ａ，４１ａ〜４３ａ，５１ａ〜５３ａ，６１ａ，６２ａが規定する菱形状の単位モチーフの一辺の長さを表している。
【００５８】
本実施形態において、貫通部３１（３２，４１，４２，５１，５２，６１）の内向き縁３１ａ（３２ａ，４１ａ，４２ａ，５１ａ，５２ａ，６１ａ）と貫通部３２（３３，４２，４３，５２，５３，６２）の外向き縁３２ｂ（３３ｂ，４２ｂ，４３ｂ，５２ｂ，５３ｂ，６２ｂ）との間の寸法Ｌ２は、約４ｍｍとされている。貫通部３２（３３，４２，４３，５２，５３，６２）における外向き縁３２ｂ（３３ｂ，４２ｂ，４３ｂ，５２ｂ，５３ｂ，６２ｂ）と内向き縁３２ａ（３３ａ，４２ａ，４３ａ，５２ａ，５３ａ，６２ａ）との間の寸法Ｌ１は、約３ｍｍとされている。これにより、貫通部３１（３２，４１，４２，５１，５２，６１）の内向き縁３１ａ（３２ａ，４１ａ，４２ａ，５１ａ，５２ａ，６１ａ）と貫通部３２（３３，４２，４３，５２，５３，６２）の内向き縁３２ａ（３３ａ，４２ａ，４３ａ，５２ａ，５３ａ，６２ａ）との間の寸法Ｌ３は、約７ｍｍである。
【００５９】
本実施形態においては、図５に表された寸法値２１０の値はすべて異なっている。このことから理解されるように、一の貫通部グループ３Ｃ，４Ｃ，５Ｃ，６Ｃにおける各貫通部３１〜３３，４１〜４３，５１〜５３，６１，６２の各内向き縁３１ａ〜３３ａ，４１ａ〜４３ａ，５１ａ〜５３ａ，６１ａ，６２ａが規定する単位モチーフの大きさと、他の貫通部グループ３Ｃ，４Ｃ，５Ｃ，６Ｃにおける各貫通部３１〜３３，４１〜４３，５１〜５３，６１，６２の各内向き縁３１ａ〜３３ａ，４１ａ〜４３ａ，５１ａ〜５３ａ，６１ａ，６２ａが規定する単位モチーフの大きさとは、互いに異なっている。
【００６０】
プレート本体２の外周部には、所定の角度を有する角部２１，２２が設けられている。これら角部２１，２２は、菱形状（本実施形態の単位モチーフの形状）の各内角（本実施形態では１２０°および６０°）に対応する角度とされており、当該角部２１，２２のなす角度は１２０°と６０°である。
【００６１】
本実施形態のパッチワーク用作業用具１Ｃは、このパッチワーク用作業用具１Ｃによって作製される単位モチーフの形状が第１実施形態の場合と異なるが、他の点については第１実施形態のパッチワーク用作業用具１Ａと実質的に同様の構成である。したがって、このパッチワーク用作業用具１Ｃの使用方法および作用効果は、上述した第１実施形態の場合と基本的に同じである。
【００６２】
図６は、本発明に係るパッチワーク用作業用具の第４実施形態を示している。同図に示されたパッチワーク用作業用具１Ｄは、本体プレート２を備え、基本的構成は上記実施形態のパッチワーク用作業用具１Ａと同じである。一方、パッチワーク用作業用具１Ｄについては、このパッチワーク用作業用具１Ｄを用いて作製される単位モチーフの形状が上記のパッチワーク用作業用具１Ａを用いて作製される単位モチーフの形状（正六角形状）と異なっており、単位モチーフの形状の相違に伴う変更が施されている。
【００６３】
本実施形態のパッチワーク用作業用具１Ｄは、直角三角形状の単位モチーフを作製するためのものである。プレート本体２には、複数（本実施形態では５つ）の貫通部グループ３Ｄ，４Ｄ，５Ｄ，６Ｄ，７Ｄが設けられている。本実施形態において、貫通部グループ３Ｄは３個の貫通部３１〜３３からなり、貫通部グループ４Ｄは３個の貫通部４１〜４３からなり、貫通部グループ５Ｄは３個の貫通部５１〜５３からなり、貫通部グループ６Ｄは２個の貫通部６１，６２からなり、貫通部グループ７Ｄは２個の貫通部７１，７２からなる。
【００６４】
貫通部グループ３Ｄ（４Ｄ，５Ｄ，６Ｄ，７Ｄ）において、最も内側に位置する貫通部３１（４１，５１，６１，７１）は、直角三角形状をなす貫通孔であり、単位モチーフの外縁を規定するように延びる内向き縁３１ａ（４１ａ，５１ａ，６１ａ，７１ａ）を有する。貫通部グループ３Ｄ（４Ｄ，５Ｄ，６Ｄ，７Ｄ）における２番目以降の貫通部３２，３３（４２，４３，５２，５３，６２，７２）は、全体として直角三角形状をなすスリット状とされており、互いに対向する外向き縁３２ｂ，３３ｂ（４２ｂ，４３ｂ，５２ｂ，５３ｂ，６２ｂ，７２ｂ）および内向き縁３２ａ，３３ａ（４２ａ，４３ａ，５２ａ，５３ａ，６２ａ，７２ａ）を有する。
【００６５】
図６に表れているように、各貫通部グループ３Ｄ（４Ｄ，５Ｄ，６Ｄ，７Ｄ）における各貫通部３１〜３３（４１〜４３，５１〜５３，６１，６２，７１，７２）の内向き縁３１ａ〜３３ａ（４１ａ〜４３ａ，５１ａ〜５３ａ，６１ａ，６２ａ，７１ａ，７２ａ）は、大きさが異なり、姿勢と形状が同じ単位モチーフを規定するように延びている。
【００６６】
プレート本体２における各貫通部３１〜３３，４１〜４３，５１〜５３，６１，６２，７１，７２の近傍には、内向き縁３１ａ〜３３ａ，４１ａ〜４３ａ，５１ａ〜５３ａ，６１ａ，６２ａ，７１ａ，７２ａが規定する単位モチーフの大きさを表す寸法値２１０が表示されている。本実施形態では、寸法値２１０は、当該寸法値２１０に対応する内向き縁３１ａ〜３３ａ，４１ａ〜４３ａ，５１ａ〜５３ａ，６１ａ，６２ａ，７１ａ，７２ａが規定する直角三角形状の単位モチーフの一辺（斜辺）の長さを表している。
【００６７】
本実施形態において、貫通部３１（３２，４１，４２，５１，５２，６１，７１）の内向き縁３１ａ（３２ａ，４１ａ，４２ａ，５１ａ，５２ａ，６１ａ，７１ａ）と貫通部３２（３３，４２，４３，５２，５３，６２，７２）の外向き縁３２ｂ（３３ｂ，４２ｂ，４３ｂ，５２ｂ，５３ｂ，６２ｂ，７２ｂ）との間の寸法Ｌ２は、約４ｍｍとされている。貫通部３２（３３，４２，４３，５２，５３，６２，７２）における外向き縁３２ｂ（３３ｂ，４２ｂ，４３ｂ，５２ｂ，５３ｂ，６２ｂ，７２ｂ）と内向き縁３２ａ（３３ａ，４２ａ，４３ａ，５２ａ，５３ａ，６２ａ，７２ａ）との間の寸法Ｌ１は、約３ｍｍとされている。これにより、貫通部３１（３２，４１，４２，５１，５２，６１，７１）の内向き縁３１ａ（３２ａ，４１ａ，４２ａ，５１ａ，５２ａ，６１ａ，７１ａ）と貫通部３２（３３，４２，４３，５２，５３，６２，７２）の内向き縁３２ａ（３３ａ，４２ａ，４３ａ，５２ａ，５３ａ，６２ａ，７２ａ）との間の寸法Ｌ３は、約７ｍｍである。
【００６８】
本実施形態においては、図６に表された寸法値２１０の値はすべて異なっている。このことから理解されるように、一の貫通部グループ３Ｄ，４Ｄ，５Ｄ，６Ｄ，７Ｄにおける各貫通部３１〜３３，４１〜４３，５１〜５３，６１，６２，７１，７２の各内向き縁３１ａ〜３３ａ，４１ａ〜４３ａ，５１ａ〜５３ａ，６１ａ，６２ａ，７１ａ，７２ａが規定する単位モチーフの大きさと、他の貫通部グループ３Ｄ，４Ｄ，５Ｄ，６Ｄ，７Ｄにおける各貫通部３１〜３３，４１〜４３，５１〜５３，６１，６２，７１，７２の各内向き縁３１ａ〜３３ａ，４１ａ〜４３ａ，５１ａ〜５３ａ，６１ａ，６２ａ，７１ａ，７２ａが規定する単位モチーフの大きさとは、互いに異なっている。
【００６９】
プレート本体２の外周部には、所定の角度を有する角部２１，２２が設けられている。これら角部２１，２２は、直角三角形状（本実施形態の単位モチーフの形状）の各内角（４５°および９０°）に対応する角度とされており、当該角部２１，２２のなす角度は４５°と９０°である。
【００７０】
本実施形態のパッチワーク用作業用具１Ｄは、このパッチワーク用作業用具１Ｄによって作製される単位モチーフの形状が第１実施形態の場合と異なるが、他の点については第１実施形態のパッチワーク用作業用具１Ａと実質的に同様の構成である。したがって、このパッチワーク用作業用具１Ｄの使用方法および作用効果は、上述した第１実施形態の場合と基本的に同じである。
【００７１】
図７は、本発明に係るパッチワーク用作業用具の第５実施形態を示している。同図に示されたパッチワーク用作業用具１Ｅは、本体プレート２を備え、基本的構成は上記実施形態のパッチワーク用作業用具１Ａと同じである。一方、パッチワーク用作業用具１Ｅについては、このパッチワーク用作業用具１Ｅを用いて作製される単位モチーフの形状が上記のパッチワーク用作業用具１Ａを用いて作製される単位モチーフの形状（正六角形状）と異なっており、単位モチーフの形状の相違に伴う変更が施されている。
【００７２】
本実施形態のパッチワーク用作業用具１Ｅは、円形状の単位モチーフを作製するためのものである。プレート本体２には、複数（本実施形態では４つ）の貫通部グループ３Ｅ，４Ｅ，５Ｅ，６Ｅが設けられている。本実施形態において、貫通部グループ３Ｅは４個の貫通部３１〜３４からなり、貫通部グループ４Ｅは５個の貫通部４１〜４５からなり、貫通部グループ５Ｅは５個の貫通部５１〜５５からなり、貫通部グループ６Ｅは２個の貫通部６１，６２からなる。
【００７３】
貫通部グループ３Ｅ（４Ｅ，５Ｅ，６Ｅ）において、最も内側に位置する貫通部３１（４１，５１，６１）は、円形状をなす貫通孔であり、単位モチーフの外縁を規定するように延びる内向き縁３１ａ（４１ａ，５１ａ，６１）を有する。貫通部グループ３Ｅ（４Ｅ，５Ｅ，６Ｅ）における２番目以降の貫通部３２〜３４（４２〜４５，５２〜５５，６２）は、全体として円形状をなすスリット状とされており、互いに対向する外向き縁３２ｂ〜３４ｂ（４２ｂ〜４５ｂ，５２ｂ〜５５ｂ，６２ｂ）および内向き縁３２ａ〜３４ａ（４２ａ〜４５ａ，５２ａ〜５５ａ，６２ａ）を有する。
【００７４】
図７に表れているように、各貫通部グループ３Ｅ（４Ｅ，５Ｅ，６Ｅ）における各貫通部３１〜３４（４１〜４５，５１〜５５，６１，６２）の内向き縁３１ａ〜３４ａ（４１ａ〜４５ａ，５１ａ〜５５ａ，６１ａ，６２ａ）は、大きさが異なり、姿勢と形状が同じ単位モチーフを規定するように延びている。
【００７５】
プレート本体２における各貫通部３１〜３４，４１〜４５，５１〜５５，６１，６２の近傍には、内向き縁３１ａ〜３４ａ，４１ａ〜４５ａ，５１ａ〜５５ａ，６１ａ，６２ａが規定する単位モチーフの大きさを表す寸法値２１０が表示されている。本実施形態では、寸法値２１０は、当該寸法値２１０に対応する内向き縁３１ａ〜３４ａ，４１ａ〜４５ａ，５１ａ〜５５ａ，６１ａ，６２ａが規定する円形状の単位モチーフの直径の長さを表している。
【００７６】
本実施形態において、貫通部３１（３２，３３，４１，４２，４３，４４，５１，５２，５３，５４，６１）の内向き縁３１ａ（３２ａ，３３ａ，４１ａ，４２ａ，４３ａ，４４ａ，５１ａ，５２ａ，５３ａ，５４ａ，６１ａ）と貫通部３２（３３，３４，４２，４３，４４，４５，５２，５３，５４，５５，６２）の外向き縁３２ｂ（３３ｂ，３４ｂ，４２ｂ，４３ｂ，４４ｂ，４５ｂ，５２ｂ，５３ｂ，５４ｂ，５５ｂ，６２ｂ）との間の寸法Ｌ２は、約４ｍｍとされている。貫通部３２（３３，３４，４２，４３，４４，４５，５２，５３，５４，５５，６２）における外向き縁３２ｂ（３３ｂ，３４ｂ，４２ｂ，４３ｂ，４４ｂ，４５ｂ，５２ｂ，５３ｂ，５４ｂ，５５ｂ，６２ｂ）と内向き縁３２ａ（３３ａ，３４ａ，４２ａ，４３ａ，４４ａ，４５ａ，５２ａ，５３ａ，５４ａ，５５ａ，６２ａ）との間の寸法Ｌ１は、約３ｍｍとされている。これにより、貫通部３１（３２，３３，４１，４２，４３，４４，５１，５２，５３，５４，６１）の内向き縁３１ａ（３２ａ，３３ａ，４１ａ，４２ａ，４３ａ，４４ａ，５１ａ，５２ａ，５３ａ，５４ａ，６１ａ）と貫通部３２（３３，３４，４２，４３，４４，４５，５２，５３，５４，５５，６２）の内向き縁３２ａ（３３ａ，３４ａ，４２ａ，４３ａ，４４ａ，４５ａ，５２ａ，５３ａ，５４ａ，５５ａ，６２ａ）との間の寸法Ｌ３は、約７ｍｍである。
【００７７】
本実施形態においては、図７に表された寸法値２１０の値はすべて異なっている。このことから理解されるように、一の貫通部グループ３Ｅ，４Ｅ，５Ｅ，６Ｅにおける各貫通部３１〜３４，４１〜４５，５１〜５５，６１，６２の各内向き縁３１ａ〜３４ａ，４１ａ〜４５ａ，５１ａ〜５５ａ，６１ａ，６２ａが規定する単位モチーフの大きさと、他の貫通部グループ３Ｅ，４Ｅ，５Ｅ，６Ｅにおける各貫通部３１〜３４，４１〜４５，５１〜５５，６１，６２の各内向き縁３１ａ〜３４ａ，４１ａ〜４５ａ，５１ａ〜５５ａ，６１ａ，６２ａが規定する単位モチーフの大きさとは、互いに異なっている。
【００７８】
上記第１〜第４実施形態においては、プレート本体２の外周部に所定の角度を有する角部２１，２２が設けられていたが、本実施形態では当該角部を具備していない。
【００７９】
本実施形態のパッチワーク用作業用具１Ｅは、このパッチワーク用作業用具１Ｅによって作製される単位モチーフの形状が第１実施形態の場合と異なるが、他の点については第１実施形態のパッチワーク用作業用具１Ｅと実質的に同様の構成である。したがって、このパッチワーク用作業用具１Ｅの使用方法および作用効果は、上述した第１実施形態の場合と基本的に同じである。
【００８０】
上述のパッチワーク用作業用具１Ａ，１Ｂ，１Ｃ，１Ｄを対比すると理解されるように、単位モチーフを規定する貫通部の内向き縁が規定する多角形状の単位モチーフの大きさ（当該単位モチーフの一辺の長さ）を表す寸法値２１０について、共通するものが多い（たとえば、「１０」、「１２」、「１６」、「２２」、「２６」など）。したがって、これらパッチワーク用作業用具１Ａ，１Ｂ，１Ｃ，１Ｄのうちの複数を用いると、異なる形状の単位モチーフどうしを接ぎ合わせるといった多様なデザインのパッチワーク作品を作製するうえで便利である。
【００８１】
以上、本発明の実施形態を説明したが、本発明の技術的範囲は上記した実施形態に限定されるものではない。本発明に係るパッチワーク用作業用具の各部の具体的な構成は、発明の思想から逸脱しない範囲内で種々な変更が可能である。上記実施形態の説明から理解できるように、本発明に係るパッチワーク用作業用具は、様々なバリエーションのパッチワーク用の単位モチーフを作製するのに適用可能である。
【００８２】
上記実施形態においては、貫通部グループのうち最も内側にある１番目の貫通部が貫通孔からなる場合を例に挙げて説明したが、当該１番目の貫通部がスリット状に構成されていてもよい。また、上記実施形態では、２番目以降の貫通部について、当該貫通部の内向き縁および外向き縁を用いて異なる２箇所に線を付すことができるように、内向き縁と外向き縁の間を３ｍｍ程度の隙間をもたせた構成とした。このような構成に代えて、内向き縁と外向き縁の隙間が実質的に狭いスリット状の貫通部を、たとえば３ｍｍ程度の間隔を隔てて複数並べる構成としてもよい。
【符号の説明】
【００８３】
１Ａ，１Ｂ，１Ｃ，１Ｄ，１Ｅ    パッチワーク用作業用具
Ｃ１      材料布
２        プレート本体
２１，２２    角部
２０１，２０２，２０３    辺
２１０    寸法値
２１１    内向き縁表示ライン
２２１，２２２，２２３，２３１，２３２，２３３    角部表示ライン
３Ａ，３Ｂ，３Ｃ，３Ｄ，３Ｅ    貫通部グループ
３１，３２，３３，３４    貫通部
３１ａ，３２ａ，３３ａ，３４ａ    内向き縁
３２ｂ，３３ｂ，３４ｂ    外向き縁
４Ａ，４Ｂ，４Ｃ，４Ｄ，４Ｅ    貫通部グループ
４１，４２，４３，４４，４５    貫通部
４１ａ，４２ａ，４３ａ，４４ａ，４５ａ    内向き縁
４２ｂ，４３ｂ，４４ｂ，４５ｂ    外向き縁
５Ａ，５Ｂ，５Ｃ，５Ｄ，５Ｅ      貫通部グループ
５１，５２，５３，５４，５５    貫通部
５１ａ，５２ａ，５３ａ，５４ａ，５５ａ    内向き縁
５２ｂ，５３ｂ，５４ｂ，５５ｂ    外向き縁
６Ａ，６Ｂ，６Ｃ，６Ｄ，６Ｅ    貫通部グループ
６１，６２，６３    貫通部
６１ａ，６２ａ，６３ａ    内向き縁
６２ｂ，６３ｂ    外向き縁
７Ｂ，７Ｄ    貫通部グループ
７１，７２，７３    貫通部
７１ａ，７２ａ，７３ａ    内向き縁
７２ｂ，７３ｂ    外向き縁
【要約】
【課題】互いに大きさが異なり、かつ同じ形状のパッチワーク片を作製するのに適したパッチワーク用作業用具を提供する。
【解決手段】パッチワーク用作業用具１Ａは、材料布に対し、所定形状のパネル領域の外縁を規定する縫い線と、当該縫い線の外側に当該縫い線に対して所定幅で隔たる裁断線と、を付すために用い、板状のプレート本体２を備える。プレート本体２は、所定の大きさのパネル領域の外縁を規定するように延びる内向き縁を有する貫通部、および当該貫通部を囲み、当該貫通部の内向き縁に対してその外側に所定間隔を隔てて延びる外向き縁と、当該外向き縁に対してその外側に所定間隔を隔てて延びる内向き縁とを有する貫通部を含む複数の貫通部からなる貫通部グループを複数有しており、各貫通部グループ３Ａ〜６Ａにおける各貫通部の内向き縁は、大きさが異なり、姿勢と形状が同じパネル領域を規定するように延びている。
【選択図】図１【図２】
0005437462.tif 000002
【図３】
0005437462.tif 000003
【図１】
0005437462.tif 000004
【図４】
0005437462.tif 000005
【図５】
0005437462.tif 000006
【図６】
0005437462.tif 000007
【図７】
0005437462.tif 000008